【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
複数の映像フレームを符号化する方法であって、
前記映像フレームは、互いに重なり合わないターゲットブロックを有しており、
当該方法は、
重要度マップが量子化を調整することによって各映像フレーム内の符号化すべき各ターゲットブロックの符号化品質に影響を与えるように、前記重要度マップを用いて前記複数の映像フレームを符号化する過程、
を備え、前記重要度マップが：
時間的情報及び空間的情報を用いて当該重要度マップを設定すること；ならびに、
（ｉ）当該重要度マップが高い数値をとるブロックでは、ブロック量子化パラメータ（ＱＰ）がフレーム量子化パラメータＱＰｆｒａｍｅに比べて小さくされることで、これらのブロックについては高い品質となるように、かつ、（ｉｉ）当該重要度マップが低い数値をとるターゲットブロックでは、前記ブロック量子化パラメータが前記フレーム量子化パラメータＱＰｆｒａｍｅに比べて大きくされることで、これらのブロックについては低い品質となるように、計算によって、前記複数の映像フレームのうちのある映像フレームのどの部分が人間の知覚にとって最も気付き易いのかを当該重要度マップに示させること；
によって構成されている、方法。
【請求項２】
請求項１に記載の方法において、前記空間的情報が、ルールに基づく空間的複雑度マップ（ＳＣＭ）により提供されて、その最初のステップが、前記フレーム内のどのターゲットブロックが当該フレーム内の平均ブロック分散ｖａｒｆｒａｍｅよりも大きい分散を有するかを決定することであり、
前記平均ブロック分散ｖａｒｆｒａｍｅよりも大きい分散を有するブロックに対して、前記フレーム量子化パラメータＱＰｆｒａｍｅよりも高い量子化パラメータ（ＱＰ）値を振り当て、このブロック量子化パラメータ（ＱＰ）の振当量ＱＰｂｌｏｃｋは、そのブロック分散ｖａｒｂｌｏｃｋが前記平均ブロック分散ｖａｒｆｒａｍｅよりもいかなる程度大きいかに従って、前記フレーム量子化パラメータＱＰｆｒａｍｅと量子化パラメータ上限ＱＰｍａｘとの間で線形的に増減される、方法。
【請求項３】
請求項１に記載の方法において、前記時間的情報が、
どのターゲットブロックが観測者である人間にとって時間的に最も気付き易いかを示す時間的コントラスト感度関数（ＴＣＳＦ）、および、
どのターゲットブロックが前景データに相当するかを示す真の動きベクトルマップ（ＴＭＶＭ）
により提供されて、前記ＴＣＳＦは、前景データとして特定されたターゲットブロックについてのみ有効とされる、方法。
【請求項４】
請求項２に記載の方法において、分散の大きいブロックは、そのブロック量子化パラメータ（ＱＰ）である前記振当量ＱＰｂｌｏｃｋが、前記ＴＭＶＭがターゲットブロックを前景データとして特定し且つ前記ＴＣＳＦのこのブロックについてのコントラスト感度対数値が０．５未満である場合には前記振当量ＱＰｂｌｏｃｋが２増加するように、前記ＴＣＳＦ及び前記ＴＭＶＭによりさらに洗練化される、方法。
【請求項５】
請求項２に記載の方法において、前記ＳＣＭは、さらに、１７０超の輝度か又は６０未満の輝度のターゲットブロックのブロック量子化パラメータである前記振当量ＱＰｂｌｏｃｋがＱＰｍａｘに調節し直される輝度マスキングを含む、方法。
【請求項６】
請求項２に記載の方法において、前記ＳＣＭは、さらに、前記符号化された映像の品質レベルに基づく前記量子化パラメータ上限ＱＰｍａｘの動的な決定を含み、
この動的な決定では、イントラ（Ｉ）フレーム内のターゲットブロックの平均構造的類似度（ＳＳＩＭ）算出結果をこれらフレームの平均ブロック分散ｖａｒｆｒａｍｅと共に用いて、品質が測定され、
前記測定された品質が低いと、前記量子化パラメータ上限ＱＰｍａｘの数値が前記フレーム量子化パラメータＱＰｆｒａｍｅに近づくように減らされる、方法。
【請求項７】
請求項２に記載の方法において、分散の極めて小さいブロックに対して、これらの領域における高品質符号化を確実にするために、前記ブロック分散が小さいほど前記振当量ＱＰｂｌｏｃｋの数値が低くなるように、決められた低い量子化パラメータ（ＱＰ）の値である前記振当量ＱＰｂｌｏｃｋが振り当てられる、方法。
【請求項８】
請求項７に記載の方法において、分散の極めて小さいブロックに対する前記低い量子化パラメータ（ＱＰ）の値である前記振当量ＱＰｂｌｏｃｋは、最初に、Ｉフレームについて決められ、その後、Ｐフレーム及びＢフレームについてはｉｐｒａｔｉｏパラメータ及びｐｂｒａｔｉｏパラメータを用いて決められる、方法。
【請求項９】
請求項７に記載の方法において、分散は小さいが、分散が極めて小さいとは見なさないブロックは、当該ブロックについて品質向上が必要か否かを判定するために、
前記ブロック量子化パラメータ（ＱＰ）の初めの推定値である前記振当量ＱＰｂｌｏｃｋが現在のブロックの左、左上、右および右上の既に符号化済みの近傍ブロックの量子化パラメータ（ＱＰ）の値を平均することによって算出されて、且つ、
前記現在のブロックの前記ＳＳＩＭの推定ＳＳＩＭｅｓｔが前記現在のブロックの左、左上、右および右上の既に符号化済みの近傍ブロックのＳＳＩＭ値から算出されて、且つ、
ＳＳＩＭｅｓｔが０．９未満の場合、前記振当量ＱＰｂｌｏｃｋの数値が２減少されるように、
調べられる、方法。
【請求項１０】
請求項９に記載の方法において、前記品質向上は、前記ＴＭＶＭにより前景データとして特定されて且つ前記ＴＣＳＦのコントラスト感度対数値が０．８超であるブロックにのみ適用される、方法。
【請求項１１】
請求項３に記載の方法において、前記ＴＣＳＦの時間的周波数は、前記ターゲットブロックとその参照ブロックとの間の色空間領域におけるＳＳＩＭを用いて波長の近似を求めて且つ動きベクトルの大きさとフレームレートとを用いて速度の近似を求めることによって算出される、方法。
【請求項１２】
請求項３に記載の方法において、前記ＴＣＳＦは、現在のフレームについての当該ＴＣＳＦが最近のフレームにおけるＴＣＳＦマップの重み付き平均であるように且つより最近のフレームがより大きい重み付けを受けるように、複数のフレームにわたって算出される、方法。
【請求項１３】
請求項３に記載の方法において、前記ＴＭＶＭは、前景データの場合にのみ１に設定される、方法。
【請求項１４】
請求項１３に記載の方法において、前景データは、所与のターゲットブロックについてのエンコーダ動きベクトルと当該ブロックについてのグローバル動きベクトルとの差分を算出し、十分に大きい差分を有するブロックが前景データであると判断されることによって特定される、方法。
【請求項１５】
請求項１４に記載の方法において、前景データとして特定されたデータブロックについて、前記グローバル動きベクトルから前記エンコーダ動きベクトルが減算されることによって差分動きベクトルを得て、この差分動きベクトルの大きさが前記ＴＣＳＦの時間的周波数を算出するのに用いられる、方法。
【請求項１６】
請求項３に記載の方法において、前記ＴＣＳＦは、エンコーダからの動きベクトルから算出される、方法。
【請求項１７】
請求項１に記載の方法において、前記重要度マップが前記時間的情報及び前記空間的情報で設定されたものである場合、当該重要度マップは統合化された重要度マップである、方法。
【請求項１８】
映像データを符号化するシステムであって、
重要度マップを用いて複数の映像フレームを符号化するコーデックであって、当該映像フレームは、互いに重なり合わないターゲットブロックを有している、コーデック、
を備え、前記重要度マップは、量子化を調整することによって各映像フレーム内の符号化すべき各ターゲットブロックの符号化品質に影響を与えるように構成されており、
前記重要度マップが：
時間的情報及び空間的情報を用いて当該重要度マップを設定することであって、これら時間的情報と空間的情報とにより設定された重要度マップは、統合化された重要素マップであること；ならびに、
（ｉ）当該重要度マップが高い数値をとるブロックでは、ブロック量子化パラメータ（ＱＰ）がフレーム量子化パラメータＱＰｆｒａｍｅに比べて小さくされることで、これらのブロックについては高い品質となるように、かつ、（ｉｉ）当該重要度マップが低い数値をとるターゲットブロックでは、前記ブロック量子化パラメータが前記フレーム量子化パラメータＱＰｆｒａｍｅに比べて大きくされることで、これらのブロックについては低い品質となるように、計算によって、前記複数の映像フレームのうちのある映像フレームの、人間の知覚にとって最も気付き易い部分を当該重要度マップに示させること；
によって構成されている、システム。
【請求項１９】
請求項１８に記載のシステムにおいて、前記空間的情報が、ルールに基づく空間的複雑度マップ（ＳＣＭ）により提供されて、その最初のステップが、前記フレーム内のどのターゲットブロックが当該フレーム内の平均ブロック分散ｖａｒｆｒａｍｅよりも大きい分散を有するかを決定することであり、
前記平均ブロック分散ｖａｒｆｒａｍｅよりも大きい分散を有するブロックに対して、前記フレーム量子化パラメータＱＰｆｒａｍｅよりも高い量子化パラメータ（ＱＰ）値を振り当て、このブロック量子化パラメータ（ＱＰ）の振当量ＱＰｂｌｏｃｋは、そのブロック分散ｖａｒｂｌｏｃｋが前記平均ブロック分散ｖａｒｆｒａｍｅよりもいかなる程度大きいかに従って、前記フレーム量子化パラメータＱＰｆｒａｍｅと量子化パラメータ上限ＱＰｍａｘとの間で線形的に増減される、システム。
【請求項２０】
請求項１８に記載のシステムにおいて、前記時間的情報が、
どのターゲットブロックが観測者である人間にとって時間的に最も気付き易いかを示す時間的コントラスト感度関数（ＴＣＳＦ）、および、
どのターゲットブロックが前景データに相当するかを示す真の動きベクトルマップ（ＴＭＶＭ）
により提供されて、前記ＴＣＳＦは、前景データとして特定されたターゲットブロックについてのみ有効とされる、システム。
【請求項２１】
請求項１９に記載のシステムにおいて、分散の大きいブロックは、そのブロック量子化パラメータ（ＱＰ）である前記振当量ＱＰｂｌｏｃｋが、前記ＴＭＶＭがターゲットブロックを前景データとして特定し且つ前記ＴＣＳＦのこのブロックについてのコントラスト感度対数値が０．５未満である場合には前記振当量ＱＰｂｌｏｃｋが２増加するように、前記ＴＣＳＦ及び前記ＴＭＶＭによりさらに洗練化される、システム。
【請求項２２】
請求項１９に記載のシステムにおいて、前記ＳＣＭは、さらに、１７０超の輝度か又は６０未満の輝度のターゲットブロックのブロック量子化パラメータである前記振当量ＱＰｂｌｏｃｋがＱＰｍａｘに調節し直される輝度マスキングを含む、システム。
【請求項２３】
請求項１９に記載のシステムにおいて、前記ＳＣＭは、さらに、符号化された映像の品質レベルに前記量子化パラメータ上限基づくＱＰｍａｘの動的な決定を含み、
この動的な決定では、イントラ（Ｉ）フレーム内のターゲットブロックの平均構造的類似度（ＳＳＩＭ）算出結果をこれらフレームの平均ブロック分散ｖａｒｆｒａｍｅと共に用いて、品質が測定され、
測定された品質が低いと、前記量子化パラメータ上限ＱＰｍａｘの数値が前記フレーム量子化パラメータＱＰｆｒａｍｅ近づくように減らされる、システム。
【請求項２４】
請求項１９に記載のシステムにおいて、分散の極めて小さいブロックに対して、これらの領域における高品質符号化を確実にするために、前記ブロック分散が小さいほど前記振当量ＱＰｂｌｏｃｋの数値が低くなるように、決められた低い量子化パラメータ（ＱＰ）の値である前記振当量ＱＰｂｌｏｃｋが振り当てられる、システム。
【請求項２５】
請求項２４に記載のシステムにおいて、分散の極めて小さいブロックに対する前記低い量子化パラメータ（ＱＰ）の値である前記振当量ＱＰｂｌｏｃｋは、最初に、Ｉフレームについては決められ、その後、Ｐフレーム及びＢフレームについてはｉｐｒａｔｉｏパラメータ及びｐｂｒａｔｉｏパラメータを用いて決められる、システム。
【請求項２６】
請求項１９に記載のシステムにおいて、分散は小さいが、分散が極めて小さいとは見なさないブロックは、当該ブロックについて品質向上が必要か否かを判定するために、
前記ブロック量子化パラメータ（ＱＰ）の初めの推定値である前記振当量ＱＰｂｌｏｃｋが現在のブロックの左、左上、右および右上の既に符号化済みの近傍ブロックの量子化パラメータ（ＱＰ）の値を平均することによって算出されて、且つ、
前記現在のブロックの前記ＳＳＩＭの推定ＳＳＩＭｅｓｔが前記現在のブロックの左、左上、右および右上の既に符号化済みの近傍ブロックのＳＳＩＭ値から算出されて、且つ、
ＳＳＩＭｅｓｔが０．９未満の場合、前記振当量ＱＰｂｌｏｃｋの数値が２減少されるように、
調べられる、システム。
【請求項２７】
請求項２６に記載のシステムにおいて、前記品質向上は、前記ＴＭＶＭにより前景データとして特定されて且つ前記ＴＣＳＦのコントラスト感度対数値が０．８超であるブロックにのみ適用される、システム。
【請求項２８】
請求項２０に記載のシステムにおいて、前記ＴＣＳＦの時間的周波数は、前記ターゲットブロックとその参照ブロックとの間の色空間領域におけるＳＳＩＭを用いて波長の近似を求めて且つ動きベクトルの大きさとフレームレートとを用いて速度の近似を求めることによって算出される、システム。
【請求項２９】
請求項２０に記載のシステムにおいて、前記ＴＣＳＦは、現在のフレームについての当該ＴＣＳＦが最近のフレームにおけるＴＣＳＦマップの重み付き平均であるように且つより最近のフレームがより大きい重み付けを受けるように、複数のフレームにわたって算出される、システム。
【請求項３０】
請求項２０に記載のシステムにおいて、前記ＴＭＶＭは、前景データの場合にのみ１に設定される、システム。
【請求項３１】
請求項３０に記載のシステムにおいて、前景データは、所与のターゲットブロックについてのエンコーダ動きベクトルと当該ブロックについてのグローバル動きベクトルとの差分を算出し、十分に大きい差分を有するブロックが前景データであると判断されることによって特定される、システム。
【請求項３２】
請求項２０に記載のシステムにおいて、前景データとして特定されたデータブロックについて、前記グローバル動きベクトルから前記エンコーダ動きベクトルが減算されることによって差分動きベクトルを得て、この差分動きベクトルの大きさが前記ＴＣＳＦの時間的周波数を算出するのに用いられる、システム。
【請求項３３】
請求項２０に記載のシステムにおいて、前記ＴＣＳＦは、前記エンコーダからの動きベクトルから算出される、システム。
【請求項３４】
請求項１８に記載のシステムにおいて、前記重要度マップが前記時間的情報と前記空間的情報で設定されたものである場合、当該重要度マップは統合化された重要度マップである、システム。
【手続補正２】
【補正対象書類名】明細書
【補正対象項目名】０１０２
【補正方法】変更
【補正の内容】
【０１０２】
本発明を例示的な実施形態を参照しながら具体的に図示・説明したが、当業者であれば、添付の特許請求の範囲に包含された本発明の範囲を逸脱しない範疇で形態や細部に様々な変更を施せることを理解するであろう。
なお、本発明は、実施の態様として以下の内容を含む。
〔態様１〕
複数の映像フレームを符号化する方法であって、
前記映像フレームは、互いに重なり合わないターゲットブロックを有しており、
当該方法は、
重要度マップが量子化を調整することによって各映像フレーム内の符号化すべき各ターゲットブロックの符号化品質に影響を与えるように、前記重要度マップを用いて前記複数の映像フレームを符号化する過程、
を備え、前記重要度マップが：
時間的情報及び空間的情報を用いて当該重要度マップを設定すること；ならびに、
（ｉ）当該重要度マップが高い数値をとるブロックでは、ブロック量子化パラメータ（ＱＰ）がフレーム量子化パラメータＱＰｆｒａｍｅに比べて小さくされることで、これらのブロックについては高い品質となるように、かつ、（ｉｉ）当該重要度マップが低い数値をとるターゲットブロックでは、前記ブロック量子化パラメータが前記フレーム量子化パラメータＱＰｆｒａｍｅに比べて大きくされることで、これらのブロックについては低い品質となるように、計算によって、前記複数の映像フレームのうちのある映像フレームのどの部分が人間の知覚にとって最も気付き易いのかを当該重要度マップに示させること；
によって構成されている、方法。
〔態様２〕
態様１に記載の方法において、前記空間的情報が、ルールに基づく空間的複雑度マップ（ＳＣＭ）により提供されて、その最初のステップが、前記フレーム内のどのターゲットブロックが当該フレーム内の平均ブロック分散ｖａｒｆｒａｍｅよりも大きい分散を有するかを決定することであり、
前記平均ブロック分散ｖａｒｆｒａｍｅよりも大きい分散を有するブロックに対して、前記フレーム量子化パラメータＱＰｆｒａｍｅよりも高い量子化パラメータ（ＱＰ）値を振り当て、このブロック量子化パラメータ（ＱＰ）の振当量ＱＰｂｌｏｃｋは、そのブロック分散ｖａｒｂｌｏｃｋが前記平均ブロック分散ｖａｒｆｒａｍｅよりもいかなる程度大きいかに従って、前記フレーム量子化パラメータＱＰｆｒａｍｅと量子化パラメータ上限ＱＰｍａｘとの間で線形的に増減される、方法。
〔態様３〕
態様１に記載の方法において、前記時間的情報が、
どのターゲットブロックが観測者である人間にとって時間的に最も気付き易いかを示す時間的コントラスト感度関数（ＴＣＳＦ）、および、
どのターゲットブロックが前景データに相当するかを示す真の動きベクトルマップ（ＴＭＶＭ）
により提供されて、前記ＴＣＳＦは、前景データとして特定されたターゲットブロックについてのみ有効とされる、方法。
〔態様４〕
態様２に記載の方法において、分散の大きいブロックは、そのブロック量子化パラメータ（ＱＰ）である前記振当量ＱＰｂｌｏｃｋが、前記ＴＭＶＭがターゲットブロックを前景データとして特定し且つ前記ＴＣＳＦのこのブロックについてのコントラスト感度対数値が０．５未満である場合には前記振当量ＱＰｂｌｏｃｋが２増加するように、前記ＴＣＳＦ及び前記ＴＭＶＭによりさらに洗練化される、方法。
〔態様５〕
態様２に記載の方法において、前記ＳＣＭは、さらに、極めて明るい（１７０超の輝度）か又は極めて暗い（６０未満の輝度）ターゲットブロックのブロック量子化パラメータである前記振当量ＱＰｂｌｏｃｋがＱＰｍａｘに調節し直される輝度マスキングを含む、方法。
〔態様６〕
態様２に記載の方法において、前記ＳＣＭは、さらに、前記符号化された映像の品質レベルに基づく前記量子化パラメータ上限ＱＰｍａｘの動的な決定を含み、
この動的な決定では、イントラ（Ｉ）フレーム内のターゲットブロックの平均構造的類似度（ＳＳＩＭ）算出結果をこれらフレームの平均ブロック分散ｖａｒｆｒａｍｅと共に用いて、品質が測定され、
前記測定された品質が低いと、前記量子化パラメータ上限ＱＰｍａｘの数値が前記フレーム量子化パラメータＱＰｆｒａｍｅに近づくように減らされる、方法。
〔態様７〕
態様２に記載の方法において、分散の極めて小さいブロックに対して、これらの領域における高品質符号化を確実にするために、前記ブロック分散が小さいほど前記振当量ＱＰｂｌｏｃｋの数値が低くなるように（、かつ、品質が高くなるように）、決められた低い量子化パラメータ（ＱＰ）の値である前記振当量ＱＰｂｌｏｃｋが振り当てられる、方法。
〔態様８〕
態様７に記載の方法において、分散の極めて小さいブロックに対する前記低い量子化パラメータ（ＱＰ）の値である前記振当量ＱＰｂｌｏｃｋは、最初に、Ｉフレームについて決められ、その後、Ｐフレーム及びＢフレームについてはｉｐｒａｔｉｏパラメータ及びｐｂｒａｔｉｏパラメータを用いて決められる、方法。
〔態様９〕
態様７に記載の方法において、分散は小さいが、分散が極めて小さいとは見なさないブロックは、当該ブロックについて品質向上が必要か否かを判定するために、
前記ブロック量子化パラメータ（ＱＰ）の初めの推定値である前記振当量ＱＰｂｌｏｃｋが現在のブロックの左、左上、右および右上の既に符号化済みの近傍ブロックの量子化パラメータ（ＱＰ）の値を平均することによって算出されて、且つ、
前記現在のブロックの前記ＳＳＩＭの推定ＳＳＩＭｅｓｔが前記現在のブロックの左、左上、右および右上の既に符号化済みの近傍ブロックのＳＳＩＭ値から算出されて、且つ、
ＳＳＩＭｅｓｔが０．９未満の場合、前記振当量ＱＰｂｌｏｃｋの数値が２減少されるように、
調べられる、方法。
〔態様１０〕
態様９に記載の方法において、前記品質向上は、前記ＴＭＶＭにより前景データとして特定されて且つ前記ＴＣＳＦのコントラスト感度対数値が０．８超であるブロックにのみ適用される、方法。
〔態様１１〕
態様３に記載の方法において、前記ＴＣＳＦの時間的周波数は、前記ターゲットブロックとその参照ブロックとの間の色空間領域におけるＳＳＩＭを用いて波長の近似を求めて且つ動きベクトルの大きさとフレームレートとを用いて速度の近似を求めることによって算出される、方法。
〔態様１２〕
態様３に記載の方法において、前記ＴＣＳＦは、現在のフレームについての当該ＴＣＳＦが最近のフレームにおけるＴＣＳＦマップの重み付き平均であるように且つより最近のフレームがより大きい重み付けを受けるように、複数のフレームにわたって算出される、方法。
〔態様１３〕
態様３に記載の方法において、前記ＴＭＶＭは、前景データの場合にのみ１に設定される、方法。
〔態様１４〕
態様１３に記載の方法において、前景データは、所与のターゲットブロックについてのエンコーダ動きベクトルと当該ブロックについてのグローバル動きベクトルとの差分を算出し、十分に大きい差分を有するブロックが前景データであると判断されることによって特定される、方法。
〔態様１５〕
態様１４に記載の方法において、前景データとして特定されたデータブロックについて、前記グローバル動きベクトルから前記エンコーダ動きベクトルが減算されることによって差分動きベクトルを得て、この差分動きベクトルの大きさが前記ＴＣＳＦの時間的周波数を算出するのに用いられる、方法。
〔態様１６〕
態様３に記載の方法において、前記ＴＣＳＦは、エンコーダからの動きベクトルから算出される、方法。
〔態様１７〕
態様１に記載の方法において、前記重要度マップが前記時間的情報及び前記空間的情報で設定されたものである場合、当該重要度マップは統合化された重要度マップである、方法。
〔態様１８〕
映像データを符号化するシステムであって、
重要度マップを用いて複数の映像フレームを符号化するコーデックであって、当該映像フレームは、互いに重なり合わないターゲットブロックを有している、コーデック、
を備え、前記重要度マップは、量子化を調整することによって各映像フレーム内の符号化すべき各ターゲットブロックの符号化品質に影響を与えるように構成されており、
前記重要度マップが：
時間的情報及び空間的情報を用いて当該重要度マップを設定することであって、これら時間的情報と空間的情報とにより設定された重要度マップは、統合化された重要素マップであること；ならびに、
（ｉ）当該重要度マップが高い数値をとるブロックでは、ブロック量子化パラメータ（ＱＰ）がフレーム量子化パラメータＱＰｆｒａｍｅに比べて小さくされることで、これらのブロックについては高い品質となるように、かつ、（ｉｉ）当該重要度マップが低い数値をとるターゲットブロックでは、前記ブロック量子化パラメータが前記フレーム量子化パラメータＱＰｆｒａｍｅに比べて大きくされることで、これらのブロックについては低い品質となるように、計算によって、前記複数の映像フレームのうちのある映像フレームの、人間の知覚にとって最も気付き易い部分を当該重要度マップに示させること；
によって構成されている、システム。
〔態様１９〕
態様１８に記載のエンコーダにおいて、前記空間的情報が、ルールに基づく空間的複雑度マップ（ＳＣＭ）により提供されて、その最初のステップが、前記フレーム内のどのターゲットブロックが当該フレーム内の平均ブロック分散ｖａｒｆｒａｍｅよりも大きい分散を有するかを決定することであり、
前記平均ブロック分散ｖａｒｆｒａｍｅよりも大きい分散を有するブロックに対して、前記フレーム量子化パラメータＱＰｆｒａｍｅよりも高い量子化パラメータ（ＱＰ）値を振り当て、このブロック量子化パラメータ（ＱＰ）の振当量ＱＰｂｌｏｃｋは、そのブロック分散ｖａｒｂｌｏｃｋが前記平均ブロック分散ｖａｒｆｒａｍｅよりもいかなる程度大きいかに従って、前記フレーム量子化パラメータＱＰｆｒａｍｅと量子化パラメータ上限ＱＰｍａｘとの間で線形的に増減される、エンコーダ。
〔態様２０〕
態様１８に記載のエンコーダにおいて、前記時間的情報が、
どのターゲットブロックが観測者である人間にとって時間的に最も気付き易いかを示す時間的コントラスト感度関数（ＴＣＳＦ）、および、
どのターゲットブロックが前景データに相当するかを示す真の動きベクトルマップ（ＴＭＶＭ）
により提供されて、前記ＴＣＳＦは、前景データとして特定されたターゲットブロックについてのみ有効とされる、エンコーダ。
〔態様２１〕
態様１９に記載のエンコーダにおいて、分散の大きいブロックは、そのブロック量子化パラメータ（ＱＰ）である前記振当量ＱＰｂｌｏｃｋが、前記ＴＭＶＭがターゲットブロックを前景データとして特定し且つ前記ＴＣＳＦのこのブロックについてのコントラスト感度対数値が０．５未満である場合には前記振当量ＱＰｂｌｏｃｋが２増加するように、前記ＴＣＳＦ及び前記ＴＭＶＭによりさらに洗練化される、エンコーダ。
〔態様２２〕
態様１９に記載のエンコーダにおいて、前記ＳＣＭは、さらに、極めて明るい（１７０超の輝度）か又は極めて暗い（６０未満の輝度）ターゲットブロックのブロック量子化パラメータである前記振当量ＱＰｂｌｏｃｋがＱＰｍａｘに調節し直される輝度マスキングを含む、エンコーダ。
〔態様２３〕
態様１９に記載のエンコーダにおいて、前記ＳＣＭは、さらに、符号化された映像の品質レベルに前記量子化パラメータ上限基づくＱＰｍａｘの動的な決定を含み、
この動的な決定では、イントラ（Ｉ）フレーム内のターゲットブロックの平均構造的類似度（ＳＳＩＭ）算出結果をこれらフレームの平均ブロック分散ｖａｒｆｒａｍｅと共に用いて、品質が測定され、
測定された品質が低いと、前記量子化パラメータ上限ＱＰｍａｘの数値が前記フレーム量子化パラメータＱＰｆｒａｍｅ近づくように減らされる、エンコーダ。
〔態様２４〕
態様１９に記載のエンコーダにおいて、分散の極めて小さいブロックに対して、これらの領域における高品質符号化を確実にするために、前記ブロック分散が小さいほど前記振当量ＱＰｂｌｏｃｋの数値が低くなるように（、かつ、品質が高くなるように）、決められた低い量子化パラメータ（ＱＰ）の値である前記振当量ＱＰｂｌｏｃｋが振り当てられる、エンコーダ。
〔態様２５〕
態様２４に記載のエンコーダにおいて、分散の極めて小さいブロックに対する前記低い量子化パラメータ（ＱＰ）の値である前記振当量ＱＰｂｌｏｃｋは、最初に、Ｉフレームについては決められ、その後、Ｐフレーム及びＢフレームについてはｉｐｒａｔｉｏパラメータ及びｐｂｒａｔｉｏパラメータを用いて決められる、エンコーダ。
〔態様２６〕
態様１９に記載のシステムにおいて、分散は小さいが、分散が極めて小さいとは見なさないブロックは、当該ブロックについて品質向上が必要か否かを判定するために、
前記ブロック量子化パラメータ（ＱＰ）の初めの推定値である前記振当量ＱＰｂｌｏｃｋが現在のブロックの左、左上、右および右上の既に符号化済みの近傍ブロックの量子化パラメータ（ＱＰ）の値を平均することによって算出されて、且つ、
前記現在のブロックの前記ＳＳＩＭの推定ＳＳＩＭｅｓｔが前記現在のブロックの左、左上、右および右上の既に符号化済みの近傍ブロックのＳＳＩＭ値から算出されて、且つ、
ＳＳＩＭｅｓｔが０．９未満の場合、前記振当量ＱＰｂｌｏｃｋの数値が２減少されるように、
調べられる、システム。
〔態様２７〕
態様２６に記載のシステムにおいて、前記品質向上は、前記ＴＭＶＭにより前景データとして特定されて且つ前記ＴＣＳＦのコントラスト感度対数値が０．８超であるブロックにのみ適用される、システム。
〔態様２８〕
態様２０に記載のシステムにおいて、前記ＴＣＳＦの時間的周波数は、前記ターゲットブロックとその参照ブロックとの間の色空間領域におけるＳＳＩＭを用いて波長の近似を求めて且つ動きベクトルの大きさとフレームレートとを用いて速度の近似を求めることによって算出される、システム。
〔態様２９〕
態様２０に記載のシステムにおいて、前記ＴＣＳＦは、現在のフレームについての当該ＴＣＳＦが最近のフレームにおけるＴＣＳＦマップの重み付き平均であるように且つより最近のフレームがより大きい重み付けを受けるように、複数のフレームにわたって算出される、システム。
〔態様３０〕
態様２０に記載のシステムにおいて、前記ＴＭＶＭは、前景データの場合にのみ１に設定される、システム。
〔態様３１〕
態様３０に記載のシステムにおいて、前景データは、所与のターゲットブロックについてのエンコーダ動きベクトルと当該ブロックについてのグローバル動きベクトルとの差分を算出し、十分に大きい差分を有するブロックが前景データであると判断されることによって特定される、システム。
〔態様３２〕
態様２０に記載のシステムにおいて、前景データとして特定されたデータブロックについて、前記グローバル動きベクトルから前記エンコーダ動きベクトルが減算されることによって差分動きベクトルを得て、この差分動きベクトルの大きさが前記ＴＣＳＦの時間的周波数を算出するのに用いられる、システム。
〔態様３３〕
態様２０に記載のシステムにおいて、前記ＴＣＳＦは、前記エンコーダからの動きベクトルから算出される、システム。
〔態様３４〕
態様１８に記載のシステムにおいて、前記重要度マップが前記時間的情報と前記空間的情報で設定されたものである場合、当該重要度マップは統合化された重要度マップである、システム。